(57)【特許請求の範囲】
【請求項１】
集合住宅の共用玄関に設置されたロビーインターホンと、集合住宅の各住戸内に設置された住戸親機とが警報監視盤を介して２線式通話線により接続されて構成される集合住宅用ハンズフリー通話システムであって、
上記警報監視盤が、受話信号の回り込みに起因して、送話信号に含まれる受話信号成分を抑圧する同時通話回路と、住戸親機、警報監視盤及びロビーインターホンから任意の２者を選択し、通話回線により接続する２者選択切替手段とを備え、上記同時通話回路を住戸親機、警報監視盤及びロビーインターホンの任意の２者間の通話に共用することを特徴とする集合住宅用ハンズフリー通話システム。
【請求項２】
集合住宅の共用玄関に設置されたロビーインターホンと、集合住宅の各住戸内に設置された住戸親機とが２線式通話線により接続され、住戸親機がさらに、その住戸の玄関口に設置されたドアホン子器とそれぞれ接続されて構成され、ロビーインターホン、住戸親機間において同時通話を可能とした集合住宅用ハンズフリー通話システムであって、
上記ロビーインターホンは、受話信号の回り込みに起因して、送話信号に含まれる受話信号成分を抑圧する同時通話回路を備え、
上記住戸親機は、
送話信号レベル、受話信号レベルのうちでいずれか小さい方の信号レベルの損失量を大きく制御し、かつ損失量が大きく制御される方の信号レベルの損失量を、ロビーインターホンとの通話時には、ドアホン子器との通話時に比べて、小さく制御する交互通話回路と、
ロビーインターホンとの通話と、ドアホン子器との通話とを切り替えるドアホン切替手段とを備えたことを特徴とする集合住宅用ハンズフリー通話システム。
【請求項３】
請求項１に記載の集合住宅用ハンズフリー通話システムであって、
上記住戸親機は、
送話信号レベル、受話信号レベルのうちでいずれか小さい方の信号レベルの損失量を大きく制御し、かつ損失量が大きく制御される方の信号レベルの損失量を、ロビーインターホン又は警報監視盤との通話時には、ドアホン子器との通話時に比べて、小さく制御する交互通話回路と、
ロビーインターホン又は警報監視盤との通話と、ドアホン子器との通話とを切り替えるドアホン切替手段とを備えたことを特徴とする集合住宅用ハンズフリー通話システム。
【請求項４】
請求項２または３に記載の集合住宅用ハンズフリー通話システムであって、
上記同時通話回路は、
同時通話回路から出力された受話信号が送話回線へ回り込み、送話信号として再び上記同時通話回路へ入力されるまでの伝達関数を同定し、上記受話信号をこの同定した伝達関数により畳み込み演算する適応フィルタと、
上記送話信号から上記適応フィルタの出力信号を減算する減算回路とを備えたエコーキャンセラ回路として構成されることを特徴とする集合住宅用ハンズフリー通話システム。
【請求項５】
請求項４に記載の集合住宅用ハンズフリー通話システムであって、
上記同時通話回路は、
一方の話者からの送話信号に含まれる受話信号成分を抑圧するエコーキャンセラ回路と、
他方の話者からの送話信号に含まれる受話信号成分を抑圧するエコーキャンセラ回路とにより構成されていることを特徴とする集合住宅用ハンズフリー通話システム。
【請求項６】
請求項５に記載の集合住宅用ハンズフリー通話システムであって、
上記同時通話回路は、
２つのエコーキャンセラ回路間の送話回線又は受話回線に、増幅回路を設けたことを特徴とする集合住宅用ハンズフリー通話システム。
【請求項７】
請求項２〜６のいずれかに記載の集合住宅用ハンズフリー通話システムであって、
上記交互通話回路が、
送話回線に設けられ、送話信号の利得又は損失量を変化させる送話損失量可変回路と、
受話回線に設けられ、受話信号の利得又は損失量を変化させる受話損失量可変回路と、
送話回線及び受話回線の信号レベルを監視して、上記送話損失量可変回路及び上記受話損失量可変回路の利得又は損失量を制御する損失量制御回路とにより構成され、
上記損失量制御回路が、さらに、上記ドアホン切替手段の接続状態に基づいて、受話損失量可変回路又は送話損失量可変回路の損失量を変化させることを特徴とする集合住宅用ハンズフリー通話システム。
【請求項８】
請求項１に記載の集合住宅用ハンズフリー通話システムであって、住戸親機が、さらに、その住戸の玄関口に設置されたドアホン子器とそれぞれ接続されて構成されるシステムにおいて、
上記住戸親機が、
一方の話者の音声信号の伝送中は、他方の話者の音声信号を減衰させて、いずれか一方の音声信号のみを他方に伝送する交互通話回路と、
ロビーインターホン又は警報監視盤との通話と、ドアホン子器との通話とを切り替えるドアホン切替手段とを備え、
上記交互通話回路が、ロビーインターホン又は警報監視盤との通話時には、上記他方の話者の音声信号を減衰させない手段として構成されることを特徴とする集合住宅用ハンズフリー通話システム。
【請求項９】
請求項１に記載の集合住宅用ハンズフリー通話システムであって、住戸親機が、さらに、その住戸の玄関口に設置されたドアホン子器とそれぞれ接続されて構成されるシステムにおいて、
上記住戸親機が、
送話中は受話信号を減衰させる一方、受話中は送話信号を減衰させることにより、いずれか一方の音声信号のみを他方に伝送する交互通話回路と、
ロビーインターホン又は警報監視盤との通話と、ドアホン子器との通話とを切り替えるドアホン切替手段と、
上記交互通話回路からの通話信号と、上記交互通話回路を介さないバイパス回線からの通話信号とを加算する回路であって、送話回線又は受話回線に設けられた加算回路と、
上記バイパス回線に設けられたアナログスイッチとを備え、
上記アナログスイッチが、ロビーインターホン又は警報監視盤との通話時に閉成される一方、ドアホン子器との通話時には開成されることを特徴とする集合住宅用ハンズフリー通話システム。
【発明の詳細な説明】
【０００１】
【発明の属する技術分野】
本発明は、集合住宅用ハンズフリー通話システムに係り、更に詳しくは、ロビーインターホン、住戸親機、警報監視盤の相互間及び住戸親機、ドアホン子器間の通話におけるハウリングの発生防止に関する。
【０００２】
【従来の技術】
スピーカ及びマイクロフォンを備えた通話装置は、通話音量を上げると、スピーカより発せられた音声信号の一部がマイクロフォンへフィードバックされて、ハウリングと呼ばれる発振現象が生じる。特に、インターフォン等のハンズフリー通話装置は、通話者との距離に比べ、受話用スピーカと送話用マイクロフォンとの距離が数ｃｍ〜数十ｃｍと短く、しかも、この距離はインターホン等の外形サイズによって決まってしまうものであり、ハウリングが発生し易いという問題があった。
【０００３】
また、２／４変換回路を使用し、２線式通話線による双方向通話を行う場合には、この２／４変換回路において、送話信号が受話回線側に回り込み、ハウリングの原因となる場合がある。この様なハウリングの発生を防止するため、ハンズフリー通話装置はスピーカからマイクロホンに至る音響結合等を抑圧する処理を行う必要があり、従来のハンズフリー通話装置に用いられている主な回り込み抑圧処理方式には、音声スイッチを用いる方式と、エコーキャンセラを用いる方式とがあった。
【０００４】
ところが、音声スイッチを用いる方式ではいわゆる受話ブロッキングと呼ばれる現象が生じるため、いずれか一方の話者の発話音声のみを相手方に伝えることができる交互通話となってしまい、双方向の同時通話は実現できない。このため、双方向同時通話を実現するには、エコーキャンセラを用いる方式により回り込み抑圧処理を行う必要があった。
【０００５】
【発明が解決しようとする課題】
上記のエコーキャンセラ方式は、音響結合に起因して受話信号が送話信号へ回り込むまでの伝達関数を同定し、受話信号とこの伝達関数とを畳み込み演算することによって、送話信号に含まれる回り込み成分を求め、この成分を除去することで、ハウリングを防止するものであり、通常、エコーキャンセラ回路は、デジタル信号処理装置（ＤＳＰ）を用いて実現される。
【０００６】
従って、ロビーインターホン、警報監視盤、各住戸親機及び各ドアホン子器にこのエコーキャンセラ回路を備える場合、これらの各機器に伝達関数の同定及び畳み込み演算等を行うためのデジタル信号処理装置（ＤＳＰ）が必要となり、各機器が高価となって、高価な通話システムになるという問題があった。本発明は、上記の事情に鑑みてなされたもので、ハウリングの発生を防止し、実用的な通話品質を確保した集合住宅用ハンズフリー通話システムを安価に提供することを目的とする。
【０００７】
【課題を解決するための手段】
請求項１に記載した本発明による集合住宅用ハンズフリー通話システムは、集合住宅の共用玄関に設置されたロビーインターホンと、集合住宅の各住戸内に設置された住戸親機とが警報監視盤を介して２線式通話線により接続されて構成される集合住宅用ハンズフリー通話システムであって、上記警報監視盤が、受話信号の回り込みに起因して、送話信号に含まれる受話信号成分を抑圧する同時通話回路と、住戸親機、警報監視盤及びロビーインターホンから任意の２者を選択し、通話回線により接続する２者選択切替手段とを備え、上記同時通話回路を住戸親機、警報監視盤及びロビーインターホンの任意の２者間の通話に共用することを特徴とする。
【０００８】
請求項２に記載した本発明による集合住宅用ハンズフリー通話システムは、集合住宅の共用玄関に設置されたロビーインターホンと、集合住宅の各住戸内に設置された住戸親機とが２線式通話線により接続され、住戸親機がさらに、その住戸の玄関口に設置されたドアホン子器とそれぞれ接続されて構成され、ロビーインターホン、住戸親機間において同時通話を可能とした集合住宅用ハンズフリー通話システムであって、上記ロビーインターホンは、受話信号の回り込みに起因して、送話信号に含まれる受話信号成分を抑圧する同時通話回路を備え、上記住戸親機は、送話信号レベル、受話信号レベルのうちでいずれか小さい方の信号レベルの損失量を大きく制御し、かつ損失量が大きく制御される方の信号レベルの損失量を、ロビーインターホンとの通話時には、ドアホン子器との通話時に比べて、小さく制御する交互通話回路と、ロビーインターホンとの通話と、ドアホン子器との通話とを切り替えるドアホン切替手段とを備えたことを特徴とする。
【０００９】
請求項３に記載した本発明による集合住宅用ハンズフリー通話システムは、請求項１に記載の集合住宅用ハンズフリー通話システムであって、上記住戸親機は、送話信号レベル、受話信号レベルのうちでいずれか小さい方の信号レベルの損失量を大きく制御し、かつ損失量が大きく制御される方の信号レベルの損失量をロビーインターホン又は警報監視盤との通話時には、ドアホン子器との通話時に比べて、小さく制御する交互通話回路と、ロビーインターホン又は警報監視盤との通話と、ドアホン子器との通話とを切り替えるドアホン切替手段とを備えたことを特徴とする。
【００１０】
請求項４に記載した本発明による集合住宅用ハンズフリー通話システムは、請求項２または３に記載の集合住宅用ハンズフリー通話システムであって、上記同時通話回路は、同時通話回路から出力された受話信号が送話回線へ回り込み、送話信号として再び上記同時通話回路へ入力されるまでの伝達関数を同定し、上記受話信号をこの同定した伝達関数により畳み込み演算する適応フィルタと、上記送話信号から上記適応フィルタの出力信号を減算する減算回路とを備えたエコーキャンセラ回路として構成されることを特徴とする。
【００１１】
請求項５に記載した本発明による集合住宅用ハンズフリー通話システムは、請求項４に記載の集合住宅用ハンズフリー通話システムであって、上記同時通話回路は、一方の話者からの送話信号に含まれる受話信号成分を抑圧するエコーキャンセラ回路と、他方の話者からの送話信号に含まれる受話信号成分を抑圧するエコーキャンセラ回路とにより構成されていることを特徴とする。
【００１２】
請求項６に記載した本発明による集合住宅用ハンズフリー通話システムは、請求項５に記載の集合住宅用ハンズフリー通話システムであって、上記同時通話回路は、２つのエコーキャンセラ回路間の送話回線又は受話回線に、増幅回路を設けたことを特徴とする。
【００１３】
請求項７に記載した本発明による集合住宅用ハンズフリー通話システムは、請求項２から６のいずれかに記載の集合住宅用ハンズフリー通話システムにおける上記交互通話回路が、送話回線に設けられ、送話信号の利得又は損失量を変化させる送話損失量可変回路と、受話回線に設けられ、受話信号の利得又は損失量を変化させる受話損失量可変回路と、送話回線及び受話回線の信号レベルを監視して、上記送話損失量可変回路及び上記受話損失量可変回路の利得又は損失量を制御する損失量制御回路とにより構成され、上記損失量制御回路が、さらに、上記ドアホン切替手段の接続状態に基づいて、受話損失量可変回路又は送話損失量可変回路の損失量を変化させることを特徴とする。
【００１４】
請求項８に記載した本発明による集合住宅用ハンズフリー通話システムは、請求項１に記載の集合住宅用ハンズフリー通話システムであって、住戸親機が、さらに、その住戸の玄関口に設置されたドアホン子器とそれぞれ接続されて構成されるシステムにおいて、上記住戸親機が、一方の話者の音声信号の伝送中は、他方の話者の音声信号を減衰させて、いずれか一方の音声信号のみを他方に伝送する交互通話回路と、ロビーインターホン又は警報監視盤との通話と、ドアホン子器との通話とを切り替えるドアホン切替手段とを備え、上記交互通話回路が、ロビーインターホン又は警報監視盤との通話時には、上記他方の話者の音声信号を減衰させない手段として構成されることを特徴とする。
【００１５】
請求項９に記載した本発明による集合住宅用ハンズフリー通話システムは、請求項１に記載の集合住宅用ハンズフリー通話システムであって、住戸親機が、さらに、その住戸の玄関口に設置されたドアホン子器とそれぞれ接続されて構成されるシステムにおいて、上記住戸親機が、送話中は受話信号を減衰させる一方、受話中は送話信号を減衰させることにより、いずれか一方の音声信号のみを他方に伝送する交互通話回路と、ロビーインターホン又は警報監視盤との通話と、ドアホン子器との通話とを切り替えるドアホン切替手段と、上記交互通話回路からの通話信号と、上記交互通話回路を介さないバイパス回線からの通話信号とを加算する回路であって、送話回線又は受話回線に設けられた加算回路と、上記バイパス回線に設けられたアナログスイッチとを備え、上記アナログスイッチが、ロビーインターホン又は警報監視盤との通話時に閉成される一方、ドアホン子器との通話時には開成されることを特徴とする。
【００１６】
【発明の実施の形態】
本発明による集合住宅用ハンズフリー通話システムのシステム構成の一例を図２に示す。このシステムは、集合住宅の共同玄関に設置された１つのロビーインターホンＬＰと、集合住宅内の各住戸に設置された複数の住戸親機ＨＰとが、警報監視盤ＸＰを介して接続されており、さらに、各住戸親機ＨＰは、その住戸の玄関口に設置されたドアホン子器ＤＰと接続されて構成される。これらの各機器は、いずれも２線式の通話線Ｌ０〜Ｌ２で接続されており、双方向で通話するためのものである。
【００１７】
この様なシステムに適用される本発明による集合住宅用ハンズフリー通話システムの一構成例を図１に示す。ロビーインターホンＬＰは、スピーカＬＳＫ及び受話信号用アンプ回路ＬＲＡとにより構成される受話回線と、マイクロホンＬＭＣ及び送話信号用アンプ回路ＬＳＡとにより構成される送話回線と、受話回線及び送話回線からなる４線式の通話線の音声信号と２線式信号線Ｌ０の音声信号とを相互に変換する２／４変換回路ＬＣＶとにより構成される。
【００１８】
警報監視盤ＸＰは、スピーカＸＳＫ及び受話信号用アンプ回路ＸＲＡとにより構成される受話回線と、マイクロホンＸＭＣ及び送話信号用アンプ回路ＸＳＡとにより構成される送話回線と、２者選択切替手段ＸＪ１、ＸＪ２と、エコーキャンセラ回路ＥＣ１、ＥＣ２と、２／４変換回路ＸＣＶ１、ＸＣＶ２とにより構成される。
【００１９】
住戸親機ＨＰは、スピーカＨＳＫ及び受話信号用アンプ回路ＨＲＡとにより構成される受話回線と、マイクロホンＨＭＣ及び送話信号用アンプ回路ＨＳＡとにより構成される送話回線と、ドアホン切替手段ＨＪと、音声スイッチＢＳＷと、２／４変換回路ＨＣＶと、アンプ回路とにより構成される。
【００２０】
ドアホン子器ＤＰは、スピーカＤＳＫ及び受話信号用アンプ回路ＤＲＡとにより構成される受話回線と、マイクロホンＤＭＣ及び送話信号用アンプ回路ＤＳＡとにより構成される送話回線と、２／４変換回路ＤＣＶとにより構成される。住戸親機ＨＰのドアホン切替手段ＨＪは、住戸親機ＨＰの送受話回線の接続先を警報監視盤ＸＰ又はドアホン子器ＤＰに切り替える切替手段であり、接点ａ側に接続すれば、住戸親機ＨＰの送受話回線が通話線Ｌ１を介して警報監視盤ＸＰに接続され、接点ｂ側に接続すれば、住戸親機ＨＰの送受話回線が通話線Ｌ２を介してドアホン子器ＤＰに接続される。
【００２１】
警報監視盤ＸＰの２者選択切替手段ＸＪ１、ＸＪ２は、ロビーインターホンＬＰ、住戸親機ＨＰ及び警報監視盤ＸＰの３者のうちの２者を選択して、通話可能とする切替手段であり、２者選択切替手段ＸＪ１、ＸＪ２をともに接点ａ側に接続すれば、ロビーインターホンＬＰの送受話回線が、通話線Ｌ０、警報監視盤ＸＰ及び通話線Ｌ１を介して住戸親機ＨＰに接続され、２者選択切替手段ＸＪ１、ＸＪ２をともに接点ｂ側に接続すれば、ロビーインターホンＬＰの送受話回線が、通話線Ｌ１を介して警報監視盤ＸＰの送受話回線に接続される。また、２者選択切替手段ＸＪ１を接点ａ側に接続し、２者選択切替手段ＸＪ２を接点ｂ側に接続すれば、警報監視盤ＸＰの送受話回線が、通話線Ｌ１を介して住戸親機ＨＰに接続される。
【００２２】
即ち、ドアホン切替手段ＨＪを接点ｂ側に接続すれば、住戸親機ＨＰとドアホン子器ＤＰとの通話が可能となり、ドアホン切替手段ＨＪを接点ａ側に接続した場合において、２者選択切替手段ＸＪ１、ＸＪ２をともに接点ａ側に接続すれば、住戸親機ＨＰとロビーインターホンＬＰとの通話が可能となり、２者選択切替手段ＸＪ１、ＸＪ２をともに接点ｂ側に接続すれば、住戸親機ＨＰと警報監視盤ＸＰとの通話が可能となる。さらに、２者選択切替手段ＸＪ１を接点ａ側に接続し、２者選択切替手段ＸＪ２を接点ｂ側に接続すれば、ロビーインターホンＬＰと警報監視盤ＸＰとの通話が可能となる。
【００２３】
なお、これらの通話は、２線式通話線を介した双方向通話であり、住戸親機ＨＰとドアホン子器との通話を除くいずれの場合にも、警報監視盤ＸＰ内のエコーキャンセラ回路ＥＣ１、ＥＣ２を介して行われる。図１に示した集合住宅用ハンズフリー通話システムに関し、警報監視盤ＸＰ、ロビーインターホンＨＰ間の通話時の構成のみを図３に示す。
【００２４】
警報監視盤ＸＰのマイクロホンＸＭＣにより収音され、電気信号に変換された発話音声は、エコーキャンセラ回路ＥＣ１、ＥＣ２及び２／４変換回路ＸＣＶ２を介して、２線式通話線Ｌ０へ出力される。この音声信号は、ロビーインターホンＬＰの２／４変換回路ＬＣＶにおいて、受話回線へと伝達されて、スピーカＬＳＫから音波として再現されて出力される。
【００２５】
同様にして、ロビーインターホンＬＰのマイクロホンＬＭＣにより収音された発話音声は、２／４変換回路ＬＣＶ、２線式通話線Ｌ０、２／４変換回路ＸＣＶ２及びエコーキャンセラ回路ＥＣ１、ＥＣ２を介して警報監視盤ＸＰのスピーカＸＳＫへ伝達されて、音波として出力される。上記エコーキャンセラ回路ＥＣ１、ＥＣ２は、受話信号の回り込みが発生した場合に、送話信号に含まれている受話信号成分を抑制して、ハウリングの発生を防止するためのものである。
【００２６】
ロビーインターホン等は、一般にハンズフリー通話装置として構成されているために、スピーカＬＳＫから発せられた受話音声は、その一部がマイクロホンＬＭＣによって収音されるという音響結合が生じている。同様にして、警報監視盤ＸＰのスピーカＬＳＫ、マイクロホンＬＭＣ間でも音響結合が生じ、この様な音響結合により受話信号の回り込みが生じる。さらに、２／４変換回路ＸＣＶ２においても、送話信号が受話回路側に漏れることにより、ロビーインターホンＬＰからみれば、受話信号の送話側への回り込みが発生している。
【００２７】
エコーキャンセラ回路ＥＣ１は、警報監視盤ＸＰ側の回り込み、即ち、警報監視盤のスピーカＸＳＫ、マイクロホンＸＭＣ間の回り込みを抑制し、エコーキャンセラ回路ＥＣ２は、ロビーインターホンＬＰ側の回り込み、即ち、ロビーインターホンＬＰのスピーカＬＳＫ、マイクロホンＬＭＣ間の回り込み及び２／４変換回路ＸＣＶ２での回り込みを抑制する。即ち、エコーキャンセラ回路ＥＣ１、ＥＣ２は、警報監視盤ＸＰ及びロビーインターホンＬＰの双方からの同時通話を可能とするための同時通話回路である。
【００２８】
これらのエコーキャンセラ回路の一構成例を図４に示す。このエコーキャンセラ回路は、適応フィルタＷａと、送信回線に設けられた減算回路ＳＢとにより構成される。適応フィルタＷａは、エコーキャンセラ回路から受話回線へ出力された受話信号が、送信回線へ回り込んで、送話信号として再びこのエコーキャンセラ回路へ入力されるまでの伝達関数Ｗ１を同定する。そして、受話信号をこの同定した伝達関数により畳み込み演算することにより、送話信号に含まれる受話信号成分を求める。減算回路ＳＢは、適応フィルタＷａにより求められた受話信号成分を送話信号から減算することにより、回り込みの影響を排除することができる。
【００２９】
さらに、警報監視盤ＸＰに使用されている同時通話回路を図５に示す。この同時通話回路は、図１に示した様にエコーキャンセラ回路ＥＣ１、ＥＣ２を直列接続したものである。エコーキャンセラ回路ＥＣ１の適応フィルタＷａは、警報監視盤ＸＰ側の回り込みに関する伝達関数Ｗ１を同定して、警報監視盤ＸＰの送話信号から回り込み成分を除去する一方、エコーキャンセラ回路ＥＣ２の適応フィルタＷａは、ロビーインターホンＬＰ側の回り込みに関する伝達関数Ｗ２を同定して、ロビーインターホンＬＰの送話信号から回り込み成分を除去する。
【００３０】
図１に示した集合住宅用ハンズフリー通話システムに関し、住戸親機ＨＰ、ドアホン子器ＤＰ間の通話時の構成のみを図６に示し、住戸親機ＨＰ、警報監視盤ＸＰ間の通話時の構成のみを図７に示す。図６においては、住戸親機ＨＰの送受話回線が、ドアホン子器ＤＰの送受話回線と音声スイッチＢＳＷを介して接続されており、音声スイッチＢＳＷが、常に、いずれか一方の話者の音声信号のみを他方に伝達する交互通話を行うため、上記と同様の回り込みが発生した場合であっても、ハウリングの発生を防止することができる。
【００３１】
この音声スイッチの一構成例を図８に示す。この音声スイッチＢＳＷは、受話回線に設けられた受話損失量可変回路ＲＶＡと、送話回線に設けられた送話損失量可変回路ＳＶＡと、これらの損失量を制御する損失量制御回路ＶＡＣとにより構成される。受話損失量可変回路ＲＶＡ及び送話損失量可変回路ＳＶＡは、ともに音声信号の増幅又は減衰を行うことができ、その増幅率又は減衰率（まとめて損失量と呼ぶ）を変化させることができる回路である。
【００３２】
損失量制御回路ＶＡＣは、受話回線及び送話回線の音声信号を監視して、音声信号のレベルの低い方に大きな損失を挿入する様に、受話損失量可変回路ＲＶＡ及び送話損失量可変回路ＳＶＡに対して制御信号を出力する。
【００３３】
例えば、図６において住戸親機ＨＰの受話信号のレベルが送話信号のレベルよりも高い場合には、損失量制御回路ＶＡＣの制御により、受話損失量可変回路ＲＶＡの損失量が６ｄＢ、送話損失量可変回路ＳＶＡの損失が４６ｄＢとなり、ドアホン子器ＤＰから住戸親機ＨＰへの通話のみが可能となる。一方、送話信号のレベルが受話信号のレベルよりも高い場合には、受話損失量可変回路ＲＶＡの損失が４６ｄＢ、送話損失量可変回路ＳＶＡの損失が６ｄＢとなり、住戸親機ＨＰからドアホン子器ＤＰへの通話のみが可能となる。
【００３４】
ドアホンＤＰ、住戸親機ＨＰ間の通話においては、この様な音声スイッチＢＳＷによる交互通話を行うことにより、ループゲインが１以上となるのを防止して、受話信号の回り込みに起因して、ハウリングが発生することを防止することができる。図７においては、住戸親機ＨＰの送受話回線が、警報監視盤ＸＰの送受話回線とエコーキャンセラＥＣ１、ＥＣ２及び音声スイッチＢＳＷを介して接続されている。
【００３５】
上記エコーキャンセラＥＣ１、ＥＣ２は、警報監視盤ＸＰのスピーカＸＳＫからマイクロホンＸＭＣへの回り込み、２／４変換回路ＸＣＶ２における回り込み、住戸親機ＨＰのスピーカＨＳＫからマイクロホンＨＭＣへの回り込みの影響を低減させる。このため、音声スイッチＢＳＷは、ドアホン子器ＤＰ、住戸親機ＨＰの通話時に比べて、その損失量を小さくすることができる。即ち、通話相手を示す接続情報が、損失量制御回路ＶＡＣに入力され、この接続情報に基づいて、受話損失量可変回路ＲＶＡ及び送話損失量可変回路ＳＶＡの損失量を小さくすれば、送話信号及び受話信号を交互通話時の様な切断感を感じさせないレベルとすることができる。
【００３６】
例えば、受話信号のレベルが送話信号のレベルよりも高い場合には、受話損失量可変回路ＲＶＡの損失が６ｄＢ、送話損失量可変回路ＳＶＡの損失が０ｄＢとなる一方、送話信号のレベルが受話信号のレベルよりも高い場合には、受話損失量可変回路ＲＶＡの損失が０ｄＢ、送話損失量可変回路ＳＶＡの損失が６ｄＢとなり、いずれの場合にも警報監視盤ＸＰ、住戸親機ＨＰ間の通話において、切断感を感じさせない程度の小さな損失量であるため、同時通話が可能となる。
【００３７】
即ち、上記音声スイッチＢＳＷは、ドアホン子器ＤＰとの通話時には、その損失量を大きくして、交互通話を行う本来の音声スイッチとして機能する一方、警報監視盤ＸＰと通話時には、その損失量を小さくして、切断感のない同時通話を可能とする。図１に示した集合住宅用ハンズフリー通話システムに関し、住戸親機ＨＰ、ロビーインターホンＬＰ間の通話時の構成のみを図９に示す。この図においては、住戸親機ＨＰの送受話回線が、ロビーインターホンＬＰの送受話回線と警報監視盤ＸＰのエコーキャンセラ回路ＥＣ１、ＥＣ２及び住戸親機ＨＰの音声スイッチＢＳＷを介して接続されている。
【００３８】
この場合にも、図７に示した住戸親機ＨＰ、警報監視盤ＸＰ間の通話の場合と同様、上記エコーキャンセラＥＣ１、ＥＣ２が、ロビーインターホンＬＰのスピーカＬＳＫからマイクロホンＬＭＣへの回り込み、２／４変換回路ＸＣＶ１、ＸＣＶ２における回り込み、住戸親機ＨＰのスピーカＨＳＫからマイクロホンＨＭＣへの回り込みの影響を低減させるため、音声スイッチＢＳＷの損失量を小さくすれば、同時通話が可能となる。
【００３９】
以上の説明により理解される通り、ロビーインターホンＬＰ、警報監視盤ＸＰ及び住戸親機ＨＰのうちの任意の２者間の通話は、いずれも警報監視盤ＸＰのエコーキャンセラ回路ＥＣ１、ＥＣ２を介することにより、ハウリングの発生を防止しつつ、同時通話を行うことができる。
【００４０】
ここで、住戸親機ＨＰとロビーインターホンＬＰ又は警報監視盤ＸＰとの通話は、さらに、音声スイッチをも介して行われるが、音声スイッチの損失量を小さくすることにより、同時通話を行うことができる。
【００４１】
一方、住戸親機ＨＰとドアホン子器ＤＰとの通話においては、エコーキャンセラ回路を介していないため、音声スイッチＢＳＷの損失量を大きくすることによって、ハウリングの発生を防止している。ここで、各住戸への来訪者は、一般に、ロビーインターホンＬＰにより住戸内の住居者と通話してから各住戸の玄関口に至るため、ドアホン子器ＤＰでの通話は、短い簡単なものである場合が多く、同時通話の必要性は比較的少ない。このため、住戸親機ＨＰ、ドアホン子器ＤＰ間の通話は交互通話であっても利便性への影響は小さい。
【００４２】
次に、本発明の別の実施例による集合住宅用ハンズフリー通話システムのシステム構成の一例を図１０に示す。このシステムは、集合住宅の共同玄関に設置された１つのロビーインターホンＬＰと、集合住宅内の各住戸に設置された複数の住戸親機ＨＰとが、２線式の通話線Ｌ１で接続されており、さらに、各住戸親機ＨＰは、その住戸の玄関口に設置されたドアホン子器ＤＰと２線式通話線Ｌ２で接続され、警報監視盤を含まずに構成される。図２に示した集合住宅用ハンズフリー通話システムと同様、ロビーインターホンＬＰと住戸親機ＨＰ、或は、ドアホン子器ＤＰと住戸親機ＨＰとは、２線式の通話線Ｌ１又はＬ２を介して、双方向で通話することができる。
【００４３】
この集合住宅用ハンズフリー通話システムの一構成例を図１１に示す。図中の住戸親機ＨＰとドアホン子器ＤＰは、図１に示したものと同様の構成である。ロビーインターホンＬＰは、スピーカＬＳＫ及び受話信号用アンプ回路ＬＲＡとにより構成される受話回線と、マイクロホンＬＭＣ及び送話信号用アンプ回路ＬＳＡとにより構成される送話回線と、エコーキャンセラ回路ＥＣ１、ＥＣ２と、２／４変換回路ＬＣＶとにより構成される。即ち、ロビーインターホンＬＰの送受話回路と２／４変換回路ＬＣＶとの間に同時通話回路としてのエコーキャンセラ回路ＥＣ１、ＥＣ２を備えて構成される。
【００４４】
この様な構成とすることにより、ロビーインターホンＬＰ、住戸親機ＨＰ間の通話時には、エコーキャンセラ回路ＥＣ１、ＥＣ２が、ロビーインターホンＬＰのスピーカＬＳＫからマイクロホンＬＭＣへの回り込み、２／４変換回路ＬＣＶ１における回り込み、住戸親機ＨＰのスピーカＨＳＫからマイクロホンＨＭＣへの回り込みの影響を低減させるので、住戸親機ＨＰの音声スイッチＢＳＷの損失量を小さくすれば、同時通話が可能となる。一方、ドアホン子器ＤＰ、住戸親機ＨＰ間の通話時には、音声スイッチＢＳＷの損失量を大きくして交互通話することによって、ハウリングの発生を防止する。
【００４５】
次に、本発明による更に他例の集合住宅用ハンズフリー通話システムの要部の一構成例を図１２に示す。この図は、集合住宅用ハンズフリー通話システムに適用される警報監視盤ＸＰ’を示したものであり、この警報監視盤ＸＰ’は、図１に示した警報監視盤ＸＰにおいて、エコーキャンセラＥＣ１とエコーキャンセラＥＣ２との間にアンプ回路ＡＰ１、ＡＰ２を設けたものである。
【００４６】
この警報監視盤ＸＰ’の動作について以下に説明する。図１３の（ａ）は、図１に示した警報監視盤ＸＰの要部を示したものであり、図１３の（ｂ）は、図１２に示した警報監視盤ＸＰ’の要部を示したものである。なお、図中に記載した利得は、各アンプ回路、スピーカＸＳＫからマイクロホンへの回り込み、受話信号及び送話信号に関する利得の一例である。
【００４７】
エコーキャンセラ回路ＥＣ１が、スピーカＸＳＫからマイクロホンＸＭＣへの回り込みによるハウリングの発生を防止するためには、図中の点Ａから点Ｂまでの回り込み利得が０ｄＢ以下となっていることが必要である。即ち、エコーキャンセラ回路ＥＣ１から受話回線へ出力された受話信号が、送信回線へ回り込んで、送話信号として再びエコーキャンセラ回路ＥＣ１へ入力されるまでの利得が０ｄＢ以下でないとエコーキャンセラ回路ＥＣ１は、回り込んだ受話信号成分を十分に除去することができない。
【００４８】
ところが、快適な通話を行うためには、受話信号及び送話信号について所定の利得を確保する必要があるため、各アンプ回路の利得を大きくせざるを得ない。従って、スピーカＸＳＫからマイクとホンＸＭＣへ至る損失量を大きくすることができなければ、上記回り込み利得を０ｄＢ以下とすることができない。図中の（ａ）は、この様子を示したものであり、スピーカＸＳＫからマイクロホンＸＭＣへ至る伝達利得が−２０ｄＢの場合に、受話信号についての利得として３０ｄＢ、送話信号についての利得として３０ｄＢを確保したいならば、各アンプ回路の利得を１０ｄＢとすることが必要となるが、この場合、点Ａから点Ｂまでの回り込み利得は２０ｄＢとなって、送話信号に回り込んだ受話信号成分を十分に除去することができない。
【００４９】
ところが、図中の（ｂ）に示した回路は、エコーキャンセラ回路ＥＣ１、ＥＣ２間に利得１０ｄＢのアンプ回路ＡＰ１、ＡＰ２を設けているために、スピーカＸＳＫからマイクロホンＸＭＣへ至る伝達利得が−２０ｄＢの場合、点Ａから点Ｂまでの各アンプ回路の利得は５ｄＢであっても、受話信号、受話信号についての利得としてそれぞれ３０ｄＢを確保することができる。このため、点Ａから点Ｂまでの回り込み利得を０ｄＢとすることができる。
【００５０】
即ち、２つのエコーキャンセラ間にアンプ回路を設けることにより、受話信号及び送話信号の利得を確保しつつ、回り込み利得を０ｄＢ以下に抑制することができるので、エコーキャンセラ回路ＥＣ１は、回り込んだ受話信号成分を十分に除去することができる。次に、請求項８に記載した本発明による集合住宅用ハンズフリー通話システムの要部の一構成例を図１４に示す。この図は、図１に示した集合住宅用ハンズフリー通話システムの住戸親機ＨＰに適用される音声スイッチを示したものであり、この音声スイッチＢＳＷ１は、受話損失量可変回路ＲＶＡと、送話損失量可変回路ＳＶＡと、損失量制御回路ＶＡＣとにより構成される音声スイッチに、アナログスイッチＲＪ１、ＳＪ１を設けて構成される。
【００５１】
このアナログスイッチＲＪ１は、受話回線上に設けられ、接点ａ側に接続すれば、受話信号は、受話損失量可変回路ＲＶＡによって所定の損失量だけ減衰されて出力されるが、このアナログスイッチＲＪ１を、接点ｂ側に接続すると、受話信号は受話損失量可変回路ＲＶＡを介さないでそのまま出力される。また、アナログスイッチＳＪ１は、送話回線上に設けられ、接点ａ側に接続すれば、送話信号が減衰されて出力されるが、接点ｂ側に接続すると、減衰されずにそのまま出力される。
【００５２】
これらのアナログスイッチＲＪ１、ＳＪ１は、ロビーインターホンＬＰ又は警報監視盤ＸＰとの通話時には、接点ａ側に接続され、ドアホン子器ＤＰとの通話時には、接点ｂ側に接続される様に制御される。従って、ドアホン子器ＤＰとの通話時には、音声スイッチＢＳＷ１が送受話回線に挿入されて有効に機能し、交互通話によるハウリングの発生を防止する一方、ロビーインターホンＬＰ又は警報監視盤ＸＰとの通話時には、音声スイッチＢＳＷ１が送受話回線から分離されるので、音声スイッチとして機能せず、同時通話が可能となる。
【００５３】
本発明の更に他の集合住宅用ハンズフリー通話システムの要部の一構成例を図１５に示す。この図は、図１に示した集合住宅用ハンズフリー通話システムの住戸親機ＨＰに適用される音声スイッチを示したものであり、この音声スイッチＢＳＷ２は、受話損失量可変回路ＲＶＡと、送話損失量可変回路ＳＶＡと、損失量制御回路ＶＡＣとにより構成される音声スイッチに、アナログスイッチＲＪ２、ＳＪ２及び加算回路ＲＡＤ、ＳＡＤを設けて構成される。
【００５４】
この音声スイッチＢＳＷ２には、受話損失量可変回路ＲＶＡを迂回する受話バイパス回線ＲＢＰと、送話損失量可変回路ＳＶＡを迂回する送話バイパス回線ＳＢＰとを備えており、アナログスイッチＲＪ２は受話バイパス回線ＲＢＰに設けられ、アナログスイッチＳＪ２は送話バイパス回線ＳＢＰに設けられている。加算回路ＲＡＤは、受話損失量可変回路ＲＶＡからの受話信号と、受話バイパス回線ＲＢＰからの受話信号とを加算して出力する回路であり、加算回路ＳＡＤは、送話損失量可変回路ＳＶＡからの送話信号と、送話バイパス回線ＳＢＰからの送話信号とを加算して出力する回路である。
【００５５】
アナログスイッチＲＪ２及びＳＪ２は、ロビーインターホンＬＰ又は警報監視盤ＸＰとの通話時には、ともに閉成され、ドアホン子器ＤＰとの通話時には、ともに開成される。このため、ドアホン子器ＤＰとの通話時には、加算回路ＲＡＤには、受話損失量可変回路ＲＶＡからの信号のみが入力され、また、加算回路ＳＡＤには、送話損失量可変回路ＳＶＡからの信号のみが入力されため、音声スイッチＢＳＷ２は、通常の音声スイッチとして機能し、交互通話によるハウリングの発生を防止する。
【００５６】
一方、ロビーインターホンＬＰ又は警報監視盤ＸＰとの通話時には、加算回路ＲＡＤには、受話損失量可変回路ＲＶＡからの信号に加えて、受話バイパス回線ＲＢＰからの減衰していない信号も入力され、加算回路ＳＡＤには、送話損失量可変回路ＳＶＡからの信号に加えて、送話バイパス回線ＳＢＰからの減衰していない信号も入力される。
【００５７】
このとき、受話損失量可変回路ＲＶＡ、送話損失量可変回路ＳＶＡにおける損失量が大きいならば、それぞれ受話バイパス回線ＲＢＰ又は送話バイパス回線ＳＢＰからの信号が支配的となり、近似的に音声スイッチＢＳＷ２が送受話回線から分離された場合と同様の状態となって、同時通話が可能となる。
【００５８】
【発明の効果】
請求項１に記載した本発明による集合住宅用ハンズフリー通話システムは、警報監視盤に２者選択切替回路と同時通話回路とを備え、この同時通話回路を住戸親機、警報監視盤及びロビーインターホンの任意の２者間の通話に共用するため、住戸親機及びロビーインターホンに同時通話回路を備えることなく、上記３者のうちの任意の２者間で同時通話が可能となる。
【００５９】
従って、住戸親機、警報監視盤及びロビーインターホンの任意の２者間で同時通話が可能な集合住宅用ハンズフリー通話システムを安価に提供することができる。
【００６０】
請求項２に記載した本発明による集合住宅用ハンズフリー通話システムは、警報監視盤を備えていないシステムであって、ロビーインターホンに同時通話回路を備え、住戸親機は、送話信号レベル、受話信号レベルのうちでいずれか小さい方の信号レベルの損失量を大きく制御し、かつ損失量が大きく制御される方の信号レベルの損失量は、ロビーインターホンとの通話時には、ドアホン子器との通話時に比べて、小さく制御されるようにした交互通話回路と、ロビーインターホンとの通話と、ドアホン子器との通話とを切り替えるドアホン切替手段とを備えているので、各住戸ごとに設置された多数の住戸親機が同時通話回路を備えることなく、ロビーインターホンと各住戸親機との間において同時通話が可能となる。
【００６１】
従って、住戸親機、ロビーインターホン間で同時通話が可能な集合住宅用ハンズフリー通話システムを安価に提供することができる。
【００６２】
また、交互通話回路が住戸親機とロビーインターホンとの通話時には、住戸親機とドアホン子器との通話時に比べ、遮断すべき通話方向の減衰量を小さくして、交互通話による切断感を緩和させているので、ドアホン子器との通話時には、交互通話によってハウリングの発生を防止するとともに、ロビーインターホンとの通話時には、切断感の少ない同時通話が可能な集合住宅用ハンズフリー通話システムを提供することができる
【００６３】
請求項３に記載した本発明による集合住宅用ハンズフリー通話システムは、交互通話回路が住戸親機と警報監視盤又はロビーインターホンとの通話時には、住戸親機とドアホン子器との通話時に比べ、遮断すべき通話方向の減衰量を小さくして、交互通話による切断感を緩和させる。
【００６４】
従って、ドアホン子器との通話時には、交互通話によってハウリングの発生を防止するとともに、警報監視盤又はロビーインターホンとの通話時には、切断感の少ない同時通話が可能な集合住宅用ハンズフリー通話システムを提供することができる。
【００６５】
請求項４に記載した本発明による集合住宅用ハンズフリー通話システムは、同時通話回路が適応フィルタと減算回路からなるエコーキャンセラ回路として構成され、送話回線に回り込んだ受話信号成分を除去する。
【００６６】
即ち、エコーキャンセラ回路により回り込み成分を除去して、住戸親機、警報監視盤又はロビーインターホンの相互間で同時通話が可能な集合住宅用ハンズフリー通話システムを提供することができる。
【００６７】
請求項５に記載した本発明による集合住宅用ハンズフリー通話システムは、同時通話回路が２つのエコーキャンセラ回路により構成され、各エコーキャンセラ回路が両話者におけるそれぞれの回り込み成分を除去する。
【００６８】
従って、警報監視盤又はロビーインターホンにのみ同時通話回路を備るだけで、各話者側の回り込み成分を除去して、住戸親機、警報監視盤又はロビーインターホンの相互間で同時通話が可能な集合住宅用ハンズフリー通話システムを提供することができる。
【００６９】
請求項６に記載した本発明による集合住宅用ハンズフリー通話システムは、同時通話回路を構成する２つのエコーキャンセラ回路間に増幅回路を設けることにより、受話信号及び送話信号の利得を確保しつつ、回り込み利得を低いレベルに抑制して、エコーキャンセラ回路が、回り込んだ受話信号成分を十分に除去することができる。
【００７０】
従って、快適な通話を確保しつつ、ハウリングの発生を効果的に抑制することができる集合住宅用ハンズフリー通話システムを提供することができる。
【００７１】
請求項７に記載した本発明による集合住宅用ハンズフリー通話システムは、交互通話回路が受話損失量可変回路と、送話損失量可変回路と、損失量制御回路とにより構成され、この損失量制御回路が、通話方向のみならず、ドアホン切替手段の接続状態に基づいて、これらの損失量可変回路の損失量を変化させる。
【００７２】
従って、簡単な構成によって、ドアホン子器との通話時には、交互通話を行うとともに、警報監視盤又はロビーインターホンとの通話時には、同時通話を行うシステムを実現でき、この様な集合住宅用ハンズフリー通話システムを安価に提供することができる。
【００７３】
請求項８に記載した本発明による集合住宅用ハンズフリー通話システムは、交互通話回路が警報監視盤又はロビーインターホンとの通話時には、送話信号及び受話信号をともに減衰させない。
【００７４】
従って、ドアホン子器との通話時には、交互通話によってハウリングの発生を防止するとともに、警報監視盤又はロビーインターホンとの通話時には、切断感のない同時通話が可能な集合住宅用ハンズフリー通話システムを提供することができる。
【００７５】
請求項９に記載した本発明による集合住宅用ハンズフリー通話システムは、交互通話回路が警報監視盤又はロビーインターホンとの通話時には、減衰されていない送受話信号と、交互通話回路により減衰された送受話信号との和を送受話信号とする。
従って、ドアホン子器との通話時には、交互通話によってハウリングの発生を防止するとともに、警報監視盤又はロビーインターホンとの通話時には、切断感のない同時通話が可能な集合住宅用ハンズフリー通話システムを提供することができる。
【図面の簡単な説明】
【図１】本発明による集合住宅用ハンズフリー通話システムの一構成例を示した図である。
【図２】集合住宅用ハンズフリー通話システムのシステム構成の一例を示した図である。
【図３】図１に示した集合住宅用ハンズフリー通話システムに関し、警報監視盤、ロビーインターホン間の通話時の構成のみを示した図である。
【図４】エコーキャンセラ回路の一構成例を示した図である。
【図５】図１に示した警報監視盤に使用される同時通話回路の一構成例を示した図である。
【図６】図１に示した集合住宅用ハンズフリー通話システムに関し、住戸親機、ドアホン子器間の通話時の構成のみを示した図である。
【図７】図１に示した集合住宅用ハンズフリー通話システムに関し、住戸親機、警報監視盤間の通話時の構成のみを示した図である。
【図８】図１に示した住戸親機に使用される音声スイッチの一構成例を示した図である。
【図９】図１に示した集合住宅用ハンズフリー通話システムに関し、住戸親機ＨＰ、ロビーインターホンＬＰ間の通話時の構成のみを示した図である。
【図１０】本発明による集合住宅用ハンズフリー通話システムの他例システム構成の一例を示した図である。
【図１１】集合住宅用ハンズフリー通話システムの一構成例を示した図である。
【図１２】本発明による集合住宅用ハンズフリー通話システムの更に他例の要部の一構成例を示した図である。
【図１３】集合住宅用ハンズフリー通話システムの増幅回路の利得の一例を示した図である。
【図１４】本発明による集合住宅用ハンズフリー通話システムの更に他例の要部の一構成例を示した図である。
【図１５】本発明による集合住宅用ハンズフリー通話システムの更に他例の要部の一構成例を示した図である。
【符号の説明】
ＬＰ・・・ロビーインターホン
ＸＰ・・・警報監視盤
ＨＰ・・・住戸親機
Ｌ０〜Ｌ２・・・２線式通話線
ＥＣ１、ＥＣ２・・・同時通話回路、エコーキャンセラ回路
ＸＪ１、ＸＪ２・・・２者選択切替回路
Ｗａ、Ｗｂ・・・適応フィルタ
ＳＢａ、ＳＢｂ・・・減算回路
ＡＰ１、ＡＰ２・・・増幅回路
ＢＳＷ・・・交互通話回路
ＳＶＡ・・・送話損失量可変回路
ＲＶＡ・・・受話損失量可変回路
ＶＡＣ・・・損失量制御回路
ＲＢＰ、ＳＢＰ・・・バイパス回路
ＲＪ２、ＳＪ２・・・アナログスイッチ
【図１】
0003702507.tif 000002
【図２】
0003702507.tif 000003
【図３】
0003702507.tif 000004
【図４】
0003702507.tif 000005
【図５】
0003702507.tif 000006
【図６】
0003702507.tif 000007
【図７】
0003702507.tif 000008
【図８】
0003702507.tif 000009
【図９】
0003702507.tif 000010
【図１０】
0003702507.tif 000011
【図１１】
0003702507.tif 000012
【図１２】
0003702507.tif 000013
【図１３】
0003702507.tif 000014
【図１４】
0003702507.tif 000015
【図１５】
0003702507.tif 000016